(57)【要約】【課題】  入札価格が下がり難くなるのを防止し、出品者が意図していたものよりも状態の良くない販売商品を落札するのを抑制することができる逆オークション処理装置を提供する。【解決手段】  通信ネットワークを介して端末装置から閲覧要求を受け付け、閲覧者が出品者又は入札者のいずれであるのかを判別する閲覧者判別手段と、閲覧要求に基づいて、販売商品ごとの入札価格からなる入札リストを生成する入札リスト生成手段と、閲覧者の判別結果に基づいて、入札リストを含む入札画面を生成する入札画面生成手段とを備えて構成される。入札画面生成手段は、閲覧者が出品者であれば、入札情報記憶手段から商品状態を読み出して入札画面を生成し、閲覧者が入札者であれば、入札者自身によって入札価格が指定された販売商品を除いて、入札情報記憶手段から商品状態を読み出すことなく入札画面を生成する。【選択図】  図２
2015052926.tif 000002
【特許請求の範囲】
【請求項１】
商品を販売する２以上の入札者がそれぞれ使用する２以上の端末装置と商品を入札者から購入する出品者が使用する端末装置とが通信ネットワークを介して接続され、出品者が指定した買取価格を各入札者に提供し、各入札者が指定した入札価格を出品者に提供する逆オークション処理装置において、
出品者が指定した購入対象商品の買取価格を含む買取情報を保持する買取情報記憶手段と、
入札者が指定した販売商品の入札価格、及び、当該販売商品の商品状態を含む２以上の入札情報を上記買取情報に関連づけて保持する入札情報記憶手段と、
上記通信ネットワークを介して端末装置から閲覧要求を受け付け、閲覧者が出品者又は入札者のいずれであるのかを判別する閲覧者判別手段と、
上記購入対象商品が指定された上記閲覧要求に基づいて、上記販売商品ごとの上記入札価格からなる入札リストを生成する入札リスト生成手段と、
上記閲覧者判別手段の判別結果に基づいて、上記入札リストを含む入札画面を生成する入札画面生成手段とを備え、
上記入札画面生成手段は、上記閲覧者が出品者である場合に、上記入札情報記憶手段から上記商品状態を読み出して上記入札画面を生成し、上記閲覧者が入札者である場合に、当該入札者自身によって上記入札価格が指定された販売商品を除いて、上記入札情報記憶手段から上記商品状態を読み出すことなく上記入札画面を生成することを特徴とする逆オークション処理装置。
【請求項２】
上記入札リストの中から上記販売商品が指定された出品者からの上記閲覧要求に基づいて、上記入札リスト内のいずれかの販売商品を選択する商品選択手段を備え、
上記入札画面生成手段は、上記商品選択手段の選択結果に基づいて、上記販売商品の上記商品状態を含む入札画面を生成することを特徴とする請求項１に記載の逆オークション処理装置。
【請求項３】
上記入札画面生成手段は、入札者からの上記閲覧要求に基づいて、当該入札者自身によって上記入札価格が指定された上記販売商品の上記商品状態を含む入札画面を生成することを特徴とする請求項２に記載の逆オークション処理装置。
【請求項４】
上記入札画面生成手段は、出品者からの上記閲覧要求に基づいて、上記商品状態を表示させるための操作オブジェクトを上記入札リスト内の販売商品に対応づけて配置した出品者用入札画面を生成することを特徴とする請求項１〜３のいずれかに記載の逆オークション処理装置。
【請求項５】
商品を販売する２以上の入札者がそれぞれ使用する２以上の端末装置と商品を入札者から購入する出品者が使用する端末装置とが通信ネットワークを介して接続された逆オークション処理装置用の制御プログラムであって、
出品者が指定した買取価格を各入札者に提供し、各入札者が指定した入札価格を出品者に提供するための制御プログラムにおいて、
出品者が指定した購入対象商品の買取価格を含む買取情報を記憶装置に記憶する買取情報記憶手順と、
入札者が指定した販売商品の入札価格、及び、当該販売商品の商品状態を含む２以上の入札情報を上記買取情報に関連づけて記憶装置に記憶する入札情報記憶手順と、
上記通信ネットワークを介して端末装置から閲覧要求を受け付け、閲覧者が出品者又は入札者のいずれであるのかを判別する閲覧者判別手順と、
上記購入対象商品が指定された上記閲覧要求に基づいて、上記販売商品ごとの上記入札価格からなる入札リストを生成する入札リスト生成手順と、
上記閲覧者の判別結果に基づいて、上記入札リストを含む入札画面を生成する入札画面生成手順とをコンピュータに実行させ、
上記入札画面生成手順では、上記閲覧者が出品者である場合に、記憶装置から上記商品状態を読み出して上記入札画面を生成し、上記閲覧者が入札者である場合に、当該入札者自身によって上記入札価格が指定された販売商品を除いて、記憶装置から上記商品状態を読み出すことなく上記入札画面を生成することを特徴とする逆オークション処理装置用の制御プログラム。
【発明の詳細な説明】
【技術分野】
【０００１】
本発明は、逆オークション処理装置及びその制御プログラムに係り、さらに詳しくは、商品を販売する入札者の端末装置と商品を入札者から購入する出品者の端末装置とが通信ネットワークを介して接続された逆オークション処理装置の改良に関する。
【背景技術】
【０００２】
逆オークションは、商品を販売する２以上の入札者と、商品を入札者から購入する出品者とが参加し、出品者が指定した購入対象商品の買取価格を各入札者に提供することにより、各入札者が買取価格を上限として、販売商品の入札価格を指定する商取引である。逆オークション処理装置は、その様な商取引を電子化して行うための入札管理装置であり、各入札者が使用する２以上の端末装置と、出品者が使用する端末装置とがインターネットなどの通信ネットワークを介して接続される（例えば、特許文献１）。各入札者が指定した入札価格は、出品者に提供されるとともに、逆オークションに参加する他の入札者にも提供され、入札者による入札価格の競り下げが促される。
【０００３】
上述した様な入札システムによれば、出品者は、市場に出回ることが少ないレアな商品を探し易く、商品調達コストを低減させることができるとともに、新規サプライヤーの開拓が容易である。また、入札者は、製造が終了していて新品では入手困難な商品や在庫品を売り込むことができ、営業コストを削減することができるとともに、新規顧客の獲得が容易である。
【０００４】
しかしながら、従来の入札システムでは、様々な状態の販売商品が取引対象となるにもかかわらず、出品者は、入札価格を見て落札するか否かや、いずれの販売商品を落札するのかを判断しなければならなかった。このため、出品者は、意図していたものよりも状態の良くない販売商品を落札してしまう場合が生じるという問題があった。
【先行技術文献】
【特許文献】
【０００５】
【特許文献１】特開２００８−３７７２号公報
【発明の概要】
【発明が解決しようとする課題】
【０００６】
そこで、販売商品の商品状態を入札情報としてネットワーク上で公開することにより、出品者が商品状態を確認してから販売商品を選択することができるように構成することが考えられる。しかし、販売商品の商品状態が他の入札者に公開されれば、入札者間の競争が阻害され、入札価格が下がり難くなるという問題があった。
【０００７】
本発明は、上記事情に鑑みてなされたものであり、入札価格が下がり難くなるのを防止しつつ、出品者が意図していたものよりも状態の良くない販売商品を落札してしまう事態が生じるのを抑制することができる逆オークション処理装置を提供することを目的とする。
【０００８】
また、本発明は、コンピュータを上述した逆オークション処理装置として機能させることができる制御プログラムを提供することを目的とする。
【課題を解決するための手段】
【０００９】
第１の本発明による逆オークション処理装置は、商品を販売する２以上の入札者がそれぞれ使用する２以上の端末装置と商品を入札者から購入する出品者が使用する端末装置とが通信ネットワークを介して接続され、出品者が指定した買取価格を各入札者に提供し、各入札者が指定した入札価格を出品者に提供する逆オークション処理装置であって、出品者が指定した購入対象商品の買取価格を含む買取情報を保持する買取情報記憶手段と、入札者が指定した販売商品の入札価格、及び、当該販売商品の商品状態を含む２以上の入札情報を上記買取情報に関連づけて保持する入札情報記憶手段と、上記通信ネットワークを介して端末装置から閲覧要求を受け付け、閲覧者が出品者又は入札者のいずれであるのかを判別する閲覧者判別手段と、上記購入対象商品が指定された上記閲覧要求に基づいて、上記販売商品ごとの上記入札価格からなる入札リストを生成する入札リスト生成手段と、上記閲覧者判別手段の判別結果に基づいて、上記入札リストを含む入札画面を生成する入札画面生成手段とを備えて構成される。上記入札画面生成手段は、上記閲覧者が出品者である場合に、上記入札情報記憶手段から上記商品状態を読み出して上記入札画面を生成し、上記閲覧者が入札者である場合に、当該入札者自身によって上記入札価格が指定された販売商品を除いて、上記入札情報記憶手段から上記商品状態を読み出すことなく上記入札画面を生成する。
【００１０】
この様な構成によれば、出品者及び入札者は、入札リストを含む入札画面を閲覧することにより、各入札者が提示した販売商品の入札価格を確認することができる。また、販売商品の入札価格及び商品状態を含む２以上の入札情報を買取情報に関連づけて保持し、出品者からの閲覧要求があれば、商品状態を読み出して入札画面を生成するので、出品者は、販売商品の商品状態を確認してから、落札するか否か、或いは、いずれの販売商品を落札するのかを判断することができる。さらに、入札者からの閲覧要求であれば、商品状態を読み出すことなく入札画面を生成するので、入札者は、他の入札者によって入札価格が指定された販売商品の商品状態を確認することができない。このため、入札者間の競争が阻害されることはなく、入札価格が下がり難くなるのを防止することができる。
【００１１】
第２の本発明による逆オークション処理装置は、上記構成に加え、上記入札リストの中から上記販売商品が指定された出品者からの上記閲覧要求に基づいて、上記入札リスト内のいずれかの販売商品を選択する商品選択手段を備え、上記入札画面生成手段が、上記商品選択手段の選択結果に基づいて、上記販売商品の上記商品状態を含む入札画面を生成するように構成される。この様な構成によれば、出品者は、入札リストの中から販売商品を指定することにより、当該販売商品の商品状態を閲覧することができる。
【００１２】
第３の本発明による逆オークション処理装置は、上記構成に加え、上記入札画面生成手段が、入札者からの上記閲覧要求に基づいて、当該入札者自身によって上記入札価格が指定された上記販売商品の上記商品状態を含む入札画面を生成するように構成される。この様な構成によれば、入札者は、当該入札者自身によって入札価格が指定された販売商品の商品状態を閲覧することができる。
【００１３】
第４の本発明による逆オークション処理装置は、上記構成に加え、上記入札画面生成手段が、出品者からの上記閲覧要求に基づいて、上記商品状態を表示させるための操作オブジェクトを上記入札リスト内の販売商品に対応づけて配置した出品者用入札画面を生成するように構成される。この様な構成によれば、出品者は、出品者用入札画面上の操作オブジェクトを操作することにより、入札リスト内の任意の販売商品について、商品状態を閲覧することができる。
【００１４】
第５の本発明による制御プログラムは、商品を販売する２以上の入札者がそれぞれ使用する２以上の端末装置と商品を入札者から購入する出品者が使用する端末装置とが通信ネットワークを介して接続された逆オークション処理装置用の制御プログラムであって、出品者が指定した買取価格を各入札者に提供し、各入札者が指定した入札価格を出品者に提供するための制御プログラムにおいて、出品者が指定した購入対象商品の買取価格を含む買取情報を記憶装置に記憶する買取情報記憶手順と、入札者が指定した販売商品の入札価格、及び、当該販売商品の商品状態を含む２以上の入札情報を上記買取情報に関連づけて記憶装置に記憶する入札情報記憶手順と、上記通信ネットワークを介して端末装置から閲覧要求を受け付け、閲覧者が出品者又は入札者のいずれであるのかを判別する閲覧者判別手順と、上記購入対象商品が指定された上記閲覧要求に基づいて、上記販売商品ごとの上記入札価格からなる入札リストを生成する入札リスト生成手順と、上記閲覧者の判別結果に基づいて、上記入札リストを含む入札画面を生成する入札画面生成手順とにより構成される。上記入札画面生成手順では、上記閲覧者が出品者である場合に、記憶装置から上記商品状態を読み出して上記入札画面を生成し、上記閲覧者が入札者である場合に、当該入札者自身によって上記入札価格が指定された販売商品を除いて、記憶装置から上記商品状態を読み出すことなく上記入札画面を生成する。
【発明の効果】
【００１５】
本発明による逆オークション処理装置では、入札価格が下がり難くなるのを防止しつつ、出品者が意図していたものよりも状態の良くない販売商品を落札してしまう事態が生じるのを抑制することができる。また、本発明によれば、コンピュータを上述した逆オークション処理装置として機能させることができる制御プログラムを提供することができる。
【図面の簡単な説明】
【００１６】
【図１】本発明の実施の形態による逆オークション処理装置１０を含む入札システム１の一構成例を示したシステム図である。
【図２】図１の逆オークション処理装置１０の構成例を示したブロック図である。
【図３】図２の逆オークション処理装置１０の動作の一例を示した図であり、出品者端末３において表示される出品者用入札画面２０が示されている。
【図４】図２の逆オークション処理装置１０の動作の一例を示した図であり、販売商品の商品状態６３を含む出品者用入札画面２０が示されている。
【図５】図２の逆オークション処理装置１０の動作の一例を示した図であり、入札者端末２において表示される入札者用入札画面４０が示されている。
【図６】図２の逆オークション処理装置１０の動作の一例を示した図であり、販売商品の商品状態６３を含む入札者用入札画面４０が示されている。
【図７】図２の逆オークション処理装置１０の動作の一例を示したフローチャートであり、端末装置から閲覧要求を受信した場合の処理手順が示されている。
【発明を実施するための形態】
【００１７】
＜入札システム１＞
図１は、本発明の実施の形態による逆オークション処理装置１０を含む入札システム１の一構成例を示したシステム図である。この入札システム１は、２以上の入札者がそれぞれ使用する２以上の入札者端末２と、出品者が使用する出品者端末３と、入札者端末２及び出品者端末３が通信ネットワーク４を介して接続された逆オークション処理装置１０とからなる。
【００１８】
入札者は、逆オークションに参加し、逆オークションを介して商品を販売する売主である。出品者は、逆オークションに参加し、逆オークションを介して商品を入札者から購入する買主である。また、ここでいう商品には、家電製品、スポーツ用品などの物品と、輸送業務、代理業務などの役務（サービス）とがある。
【００１９】
入札者端末２は、入札者による操作を受け付ける操作入力装置と、各種情報を画面表示する表示装置とを備えた端末装置である。出品者端末３は、出品者による操作を受け付ける操作入力装置と、各種情報を画面表示する表示装置とを備えた端末装置である。この様な端末装置には、据置型の情報処理端末、例えば、パーソナルコンピュータと、携帯型の情報処理端末、例えば、携帯電話機、タブレット端末とがある。
【００２０】
逆オークション処理装置１０は、通信ネットワーク４を介した逆オークションを管理する電子商取引管理装置である。例えば、逆オークション処理装置１０は、制御プログラムに基づいてコンピュータを動作させることにより実現することができる。また、その様な制御プログラムは、ＣＤ−ＲＯＭなどのコンピュータ読み取り可能な記録媒体に記録して提供され、或いは、通信ネットワーク４を介して提供される。通信ネットワーク４には、インターネット、ＬＡＮ（ローカルエリアネットワーク）などがある。
【００２１】
この逆オークション処理装置１０は、出品者が指定した購入対象商品の買取価格を各入札者に提供する一方、各入札者が指定した販売商品の入札価格を出品者に提供する。つまり、各入札者が指定した入札価格は、出品者に提供されるとともに、逆オークションに参加する他の入札者にも提供され、これにより、入札者による入札価格の競り下げが促される。ここでは、予めユーザ登録を行ったオークション会員だけが、入札者又は出品者として逆オークションに参加可能であるものとする。
【００２２】
出品者は、出品者端末３を操作し、購入対象商品とその買取価格とを指定して、逆オークション処理装置１０に対し、逆オークションへの出品を要求する。逆オークション処理装置１０では、出品者からの出品要求を受け付け、オークションを識別するための識別情報、例えば、オークション番号を発行し、購入対象商品の買取価格、商品カテゴリ、商品名などが買取情報として保持される。
【００２３】
入札者は、入札者端末２を操作し、オークション番号、販売商品及び入札価格を指定して、逆オークション処理装置１０に対し、逆オークションへの入札を要求するとともに、販売商品の商品状態を送信する。商品状態には、販売商品の状態を示す文字メッセージ、販売商品が撮影された商品画像がある。逆オークション処理装置１０では、入札者からの入札要求を受け付け、販売商品の入札価格及び商品状態を含む入札情報が買取情報に関連づけて保持される。
【００２４】
＜逆オークション処理装置１０＞
図２は、図１の逆オークション処理装置１０の構成例を示したブロック図である。この逆オークション処理装置１０は、ログイン部１１、データベース１２、入札リスト生成部１３、商品選択部１４、商品詳細生成部１５及び入札画面生成部１６により構成される。
【００２５】
データベース１２は、購入対象商品の買取価格を含む買取情報５と、販売商品の入札価格６１、入札者ＩＤ６２及び商品状態６３を含む２以上の入札情報６とを保持する記憶装置である。買取情報５及び入札情報６は、オークション番号によって互いに紐づけされ、各入札情報６は、共通の買取情報５に関連づけて保持されている。入札者ＩＤ６２は、入札者を識別するための識別情報である。
【００２６】
ログイン部１１は、通信ネットワーク４に接続され、入札画面の閲覧要求が入力されれば、閲覧者がオークション会員であるか否かの認証処理を行う。このログイン部１１は、通信ネットワーク４を介して入札者端末２又は出品者端末３から閲覧要求を受け付け、閲覧者が出品者又は入札者のいずれであるのかを判別し、その閲覧者の判別結果を商品選択部１４へ出力する。
【００２７】
入札リスト生成部１３は、購入対象商品が指定された閲覧要求に基づいて、販売商品ごとの入札価格からなる入札リストを生成し、入札画面生成部１６へ出力する。入札リストは、閲覧要求に含まれるオークション番号に基づいて買取情報５を特定し、当該買取情報５に関連づけられている入札情報６をデータベース１２から読み出すことによって作成される。
【００２８】
入札画面生成部１６は、ログイン部１１による閲覧者の判別結果に基づいて、入札リストを含む入札画面を生成し、閲覧要求の送信元の入札者端末２又は出品者端末３へ出力する。具体的には、閲覧者が出品者である場合、データベース１２から商品状態６３を読み出して入札画面が生成される。一方、閲覧者が入札者である場合には、当該入札者自身によって入札価格６１が指定された販売商品を除いて、データベース１２から商品状態６３を読み出すことなく入札画面が生成される。
【００２９】
商品選択部１４は、入札リストの中から販売商品が指定された出品者からの閲覧要求に基づいて、入札リスト内のいずれかの販売商品を閲覧対象商品として選択する。具体的には、閲覧要求に含まれる入札者ＩＤに基づいて入札情報６を特定することにより、閲覧対象商品が選択される。
【００３０】
また、商品選択部１４は、入札者からの閲覧要求があれば、当該閲覧要求に含まれる入札者ＩＤに基づいて、入札者自身によって入札価格６１が指定された販売商品に係る入札情報６を特定し、閲覧対象商品が選択される。商品詳細生成部１５は、閲覧対象商品の商品状態６３をデータベース１２から読み出し、商品詳細情報として入札画面生成部１６へ出力する。
【００３１】
入札画面生成部１６は、閲覧要求に基づいて、商品詳細情報を含む入札画面、すなわち、商品選択部１４により閲覧対象商品として選択された販売商品の商品状態６３を含む入札画面を生成する。例えば、出品者からの閲覧要求であれば、商品状態６３を表示させるための操作オブジェクトを入札リスト内の販売商品に対応づけて配置した出品者用入札画面が生成される。
【００３２】
＜出品者用入札画面２０＞
図３は、図２の逆オークション処理装置１０の動作の一例を示した図であり、出品者端末３において表示される出品者用入札画面２０が示されている。この出品者用入札画面２０は、出品者が指定した買取情報５と、現在の入札価格６１等を当該出品者自身が確認するための入札画面であり、逆オークション処理装置１０から画面データをダウンロードすることによって表示される。
【００３３】
出品者用入札画面２０には、マイページボタン２１、ログアウトボタン２２、商品カテゴリ表示欄２３、商品タイトル表示欄２４、買取情報表示欄２５、買取詳細情報表示欄２６、入札リスト表示欄２７及び出品内容表示欄２８が設けられている。
【００３４】
マイページボタン２１は、登録情報を確認し、或いは、登録情報を変更するためのマイページ画面を表示させるための操作オブジェクトである。ログアウトボタン２２は、ログアウトするための操作オブジェクトである。
【００３５】
商品カテゴリ表示欄２３には、購入対象商品が属している商品カテゴリが表示される。商品カテゴリは、上位のカテゴリから下位のカテゴリまで、階層的に表示される。例えば、購入対象商品がプラズマテレビである場合、第１階層カテゴリ「家電製品」、第２階層カテゴリ「テレビ」、第３階層カテゴリ「プラズマテレビ」が表示される。商品タイトル表示欄２４には、購入対象商品の商品名、型番、製造メーカーなどが表示される。出品者は、購入対象商品が属する商品カテゴリ、商品名、型番、製造メーカーなどを指定して出品する。
【００３６】
買取情報表示欄２５及び買取詳細情報表示欄２６には、出品者自身が指定した買取情報５が表示される。この買取情報表示欄２５には、買取価格、残り日数及び入札件数が表示されている。出品者は、購入可能な上限価格を買取価格として指定する。残り日数は、現在から入札終了までの日数である。この例では、買取価格「３００，０００円」、残り日数「３日」、入札件数「５件」が表示されている。
【００３７】
買取詳細情報表示欄２６には、取扱数量、開始日時、終了日時、買取価格、オークション番号、早期終了の有無、入札制限の有無が表示される。取扱数量は、購入対象商品の買取数量である。開始日時は、オークションを開始した日時であり、終了日時は、オークションを終了する予定日時である。終了日時が到来すれば、入札の受け付けが自動的に終了する。
【００３８】
早期終了を指定することにより、出品者は、終了日時が到来するよりも前に、入札の受け付けを終了させることができる。入札制限を指定することにより、所定の評価基準に従って、入札者を絞り込むことができる。
【００３９】
入札リスト表示欄２７には、販売商品ごとの入札価格６１、提案日時及び入札者ＩＤ６２からなる入札リストが表示され、２以上の販売商品について、現在の入札価格６１を確認することができる。入札価格６１は、入札者が提示した販売商品の販売価格である。提案日時は、入札価格６１が提示された日時である。
【００４０】
入札リスト内の各販売商品には、確認ボタン７が配置されている。この確認ボタン７は、販売商品の商品状態６３を表示させるための操作オブジェクトであり、入札リスト内の販売商品に対応づけて配置されている。出品者は、入札リスト表示欄２７内の確認ボタン７を操作することにより、入札リスト内の任意の販売商品について、商品状態６３を表示させ、閲覧することができる。例えば、確認ボタン７は、マウスカーソル８を移動させ、クリック操作によって選択することができる。
【００４１】
出品内容表示欄２８には、出品者によって予め登録された出品内容が表示される。出品内容には、購入対象商品の属性、買取条件、商品状態がある。購入対象商品の属性欄には、商品名、型番、製造メーカーなどが表示される。また、買取条件欄には、出品者が提示した商品買取の条件が表示される。また、商品状態欄には、出品者が提示した購入対象商品の状態が表示される。例えば、「新品」、「中古品」、「新品又は中古品を問わず」を選択することができる。
【００４２】
図４は、図２の逆オークション処理装置１０の動作の一例を示した図であり、販売商品の商品状態６３を含む出品者用入札画面２０が示されている。この出品者用入札画面２０には、入札情報表示欄３１、入札価格表示欄３２及び商品画像表示欄３３が設けられ、入札者「ｂｂｂｂ」によって入札価格６１が提示された販売商品の商品状態６３が表示されている。
【００４３】
入札情報表示欄３１には、入札者が指定した入札情報６が表示される。具体的には、オークション番号、提案日時、発送元の地域名、送料種別、発送方法、振込手数料種別、受け渡し時期、商品状態、メーカー保証の有無、コメントが表示されている。商品状態欄やコメント欄には、販売商品の状態を示す文字メッセージが表示される。
【００４４】
例えば、提案日時「２０１３年５月１日２３時５０分」、発送元の地域名「北海道」、送料種別「送料別」、振込手数料種別「出品者負担」、商品状態「新品未使用」、コメント「新品購入後、未使用のまま保管しておりました。」が表示されている。
【００４５】
入札価格表示欄３２には、入札者が提示した入札価格が表示される。この例では、入札価格「３００，０００円」が表示されている。商品画像表示欄３３には、商品画像３３ａが表示される。例えば、販売商品が撮影された撮影画像が商品画像３３ａとして表示される。商品画像３３ａには、静止画像、動画像がある。
【００４６】
出品者は、この様な出品者用入札画面２０を閲覧することにより、販売商品の状態を文字メッセージ及び商品画像３３ａによって確認することができる。また、確認ボタン７が操作された場合にだけ、販売商品の商品画像３３ａを含む出品者用入札画面２０を生成することにより、画面データを出品者端末３にダウンロードする際の通信負荷を低減させることができる。この入札システム１では、出品者が入札者の中から落札者を決定すれば、取引が終了する。
【００４７】
＜入札者用入札画面４０＞
図５は、図２の逆オークション処理装置１０の動作の一例を示した図であり、入札者端末２において表示される入札者用入札画面４０が示されている。この入札者用入札画面４０は、入札者が指定した買取情報５と、現在の入札価格６１等を確認するための入札画面であり、逆オークション処理装置１０から画面データをダウンロードすることによって表示される。
【００４８】
入札者用入札画面４０には、出品者用入札画面２０と同様に、マイページボタン４１、ログアウトボタン４２、商品カテゴリ表示欄４３、商品タイトル表示欄４４、買取情報表示欄４５、買取詳細情報表示欄４６、入札リスト表示欄４７及び出品内容表示欄４８が設けられている。
【００４９】
マイページボタン４１、ログアウトボタン４２、商品カテゴリ表示欄４３、商品タイトル表示欄４４、買取詳細情報表示欄４６及び出品内容表示欄４８は、いずれも出品者用入札画面２０内の各オブジェクトと同様の構成からなる。
【００５０】
この入札者用入札画面４０では、入札ボタン９が買取情報表示欄４５内に設けられている。入札ボタン９は、入札に参加するための操作オブジェクトである。また、入札リスト表示欄４７には、販売商品ごとの入札価格６１、提案日時及び入札者ＩＤ６２からなる入札リストが表示されるが、商品状態６３を表示させるための確認ボタン７は配置されていない。
【００５１】
入札者は、買取情報表示欄４５内の入札ボタン９を操作することにより、販売商品の入札価格６１や商品状態６３を登録し、入札に参加することができる。また、入札者は、マイページボタン４１を操作することにより、登録されている入札情報６を確認し、或いは、入札情報６を変更することができる。例えば、入札ボタン９やマイページボタン４１は、マウスカーソル８を移動させ、クリック操作によって選択することができる。
【００５２】
図６は、図２の逆オークション処理装置１０の動作の一例を示した図であり、販売商品の商品状態６３を含む入札者用入札画面４０が示されている。この入札者用入札画面４０には、入札情報表示欄５１、入札価格表示欄５２及び商品画像表示欄５３が設けられ、入札者「ｆｆｆｆ」によって入札価格６１が提示された販売商品の商品状態６３が表示されている。
【００５３】
入札情報表示欄５１、入札価格表示欄５２及び商品画像表示欄５３は、それぞれ入札情報表示欄３１、入札価格表示欄３２及び商品画像表示欄３３と同様の構成からなる。例えば、提案日時「２０１３年５月３日１２時３４分」、発送元の地域名「大阪」、送料種別「送料込み」、振込手数料種別「落札者負担」、商品状態「美品（中古品）」が表示されている。入札価格表示欄５２には、入札価格「１５０，０００円」が表示されている。
【００５４】
入札者は、この様な入札者用入札画面４０を閲覧することにより、入札者自身によって入札価格６１が提示された販売商品の状態を文字メッセージ及び商品画像５３ａによって確認することができる。また、入札者は、同一の販売商品に対し、最大で３つの商品画像５３ａを登録することができる。
【００５５】
図７のステップＳ１０１〜Ｓ１１３は、図２の逆オークション処理装置１０の動作の一例を示したフローチャートであり、入札者端末２又は出品者端末３から閲覧要求を受信した場合の処理手順が示されている。まず、ログイン部１１は、受信した閲覧要求に基づいて、ユーザ認証を行い、オークション会員からの閲覧要求であれば、閲覧者が入札者又は出品者のいずれであるのかを判別する（ステップＳ１０１，Ｓ１０２）。
【００５６】
次に、入札リスト生成部１３は、入札リストを生成し、入札画面生成部１６は、閲覧者の判別結果に応じて、入札リスト及び買取情報５を含む出品者用入札画面２０又は入札者用入札画面４０を生成する（ステップＳ１０３〜Ｓ１０５，Ｓ１１０）。
【００５７】
閲覧者が出品者である場合、商品選択部１４は、出品者用入札画面２０上の確認ボタン７の操作に基づいて、入札リスト内のいずれかの販売商品を閲覧対象商品として選択する（ステップＳ１０６，Ｓ１０７）。商品詳細生成部１５は、閲覧対象商品の商品状態６３をデータベース１２から読み出し、入札画面生成部１６により当該商品状態６３を含む出品者用入札画面２０が生成される（ステップＳ１０８）。ステップＳ１０６からステップＳ１０８までの処理手順は、ログアウトボタン２２が操作されるまで繰り返され、ログアウトボタン２２が操作されれば、この処理は終了する（ステップＳ１０９）。
【００５８】
一方、閲覧者が入札者である場合には、入札者用入札画面４０上の入札ボタン９の操作に基づいて、入札価格６１や商品状態６３を含む入札情報６を登録するための登録画面が生成される（ステップＳ１１１，Ｓ１１２）。ステップＳ１１１，ステップＳ１１２の処理手順は、ログアウトボタン４２が操作されるまで繰り返され、ログアウトボタン４２が操作されれば、この処理は終了する（ステップＳ１１３）。
【００５９】
本実施の形態によれば、出品者及び入札者は、入札リストを含む入札画面を閲覧することにより、各入札者が提示した販売商品の入札価格６１を確認することができる。また、販売商品の入札価格６１及び商品状態６３を含む２以上の入札情報６を買取情報５に関連づけて保持し、出品者からの閲覧要求があれば、商品状態６３を読み出して入札画面を生成するので、出品者は、販売商品の商品状態６３を確認してから、落札するか否か、或いは、いずれの販売商品を落札するのかを判断することができる。
【００６０】
さらに、入札者からの閲覧要求であれば、商品状態６３を読み出すことなく入札画面を生成するので、入札者は、他の入札者によって入札価格６１が指定された販売商品の商品状態６３を確認することができない。このため、入札者間の競争が阻害されることはなく、入札価格６１が下がり難くなるのを防止することができる。
【符号の説明】
【００６１】
１  入札システム、２  入札者端末、３  出品者端末、４  通信ネットワーク
５  買取情報、６  入札情報、１０  逆オークション処理装置、１１  ログイン部
１２  データベース、１３  入札リスト生成部、１４  商品選択部
１５  商品詳細生成部、１６  入札画面生成部、２０  出品者用入札画面
４０  入札者用入札画面
【図１】
2015052926.tif 000003
【図２】
2015052926.tif 000004
【図３】
2015052926.tif 000005
【図４】
2015052926.tif 000006
【図５】
2015052926.tif 000007
【図６】
2015052926.tif 000008
【図７】
2015052926.tif 000009